(57)【要約】【課題】乗車券や指定券、航空予約券等のチケットに二次元バーコード５３ｃを印字して券５３を発行する自動発券機１０において、印字する二次元バーコード５３ｃの位置を自由に設定できるようにする。【解決手段】媒体３に所定の情報をコード化した二次元バーコード５３ｃを印字して予約券５３を発行する自動発券機１０であって、前記媒体３の表面５３ａに二次元バーコード５３ｃを印字する第１の印字手段１４と、前記媒体３の裏面５３ｂの任意の位置に所定のマーキングをするマーキングスタンプ部２５を設け、前記二次元バーコード５３ｃの位置の裏面５３ｂの位置近傍に所定のマーク５３ｄを押印できるようにした。【選択図】図１
2011150643.tif 000002
【特許請求の範囲】
【請求項１】
媒体に所定の情報をコード化したコードを印字して券を発行する自動発券機であって、
前記媒体の一方の面に前記コードを印字する第１の印字手段と、
前記媒体の他方の面の任意の位置に所定のマーキングをするマーキング手段を設け、
前記コードの位置の他方の面の位置近傍に所定のマーキングを行うようにしたことを特徴とする自動発券機。
【請求項２】
前記コードは、二次元バーコードまたはバーコードであることを特徴とする請求項１記載の自動発券機。
【請求項３】
前記マーキング手段は、スタンプまたは第２の印字手段であって、
前記スタンプによる押印または第２の印字手段による印字により所定のマーキングを行うようにしたことを特徴とする請求項１記載の自動発券機。
【請求項４】
孔あけ手段またはエンボス生成手段を備え、
前記所定のマーキングは、孔あけ手段またはエンボス生成手段により前記コードの位置近傍に、孔を開けまたはエンボスを生成するようにしたことを特徴とする請求項１記載の自動発券機。
【請求項５】
請求項１記載の自動発券機と、前記自動発券機により発行された券の前記コードを読み取り、当該読取った情報に基づいて所定の処理を行う券情報読取装置からなる自動発券システム。
【発明の詳細な説明】
【技術分野】
【０００１】
本発明は、航空予約券等のチケットに二次元バーコードを印字して発行する自動発券機、およびそれを読み取る券情報読取装置からなる自動発券システムに関するものである。
【背景技術】
【０００２】
自動発券システムとして、例えば、空港チェックイン業務で使用される自動発券システムは、図２に示すような構成となっており、自動発券機１０が、各地域にある旅行代理店４０等に設置され、二次元バーコード５３ｃを含んだ予約券５３等の発券を行う。そして、券情報読取装置２０が、空港３０に設置され、発券された予約券の二次元バーコード５３ｃを読み取り、その後の処理を行う。
【０００３】
ここで、従来の自動発券機１０の構成は図８のようになっており、１１は媒体３を格納するホッパ部、１２はホッパ部１１に格納された媒体３を１枚ずつ分離する分離部、１３は分離された媒体３を搬送する搬送部、１４は搬送された媒体３に二次元バーコード５３ｃのほか必要な情報を印字して予約券５３とする感熱サーマル印字部、１５は発行処理された予約券５３を集積する排出部である。
【０００４】
また、予約券５３に印字された二次元バーコード５３ｃを読み取る券情報読取装置２０の構成は、図３の外観構成図のように、装置前面に二次元バーコード５３ｃを読み取る二次元バーコードリーダ２１が設けられた構成となっている。
【０００５】
以上の構成により、従来の自動発券システムは、以下のように動作する。この動作を前述の構成図、図９および図１０の動作フローチャート図を用いて以下説明する。
【０００６】
従来の自動発券システム全体の動作としては、まず、図２のように、顧客は、旅行代理店４０等で自動発券機１０から発行される予約券５３を購入し、その後、空港に行き、搭乗時に券情報読取装置２０の二次元バーコードリーダ２１に予約券５３をかざすと、券情報読取装置２０により二次元バーコード２１の予約券データを読み取り、予約券データが正しいときに搭乗できるようになっている。
【０００７】
予約券５３を購入するときの動作としては、図９に示したように、まず、発券機１０に内蔵されたホッパ部１１から分離部１２により媒体３を１枚ずつ繰出し（ステップＳ１１）、図８矢印Ｂのように搬送部１３に搬送し（ステップＳ１２）、搬送された媒体３は感熱サーマル印字部１４で予約情報等をコード化した二次元バーコードなどを印字する（ステップＳ１３）。
【０００８】
そして、二次元バーコード等が印字された予約券５３は排出部１５に排出され（ステップＳ１４）、これを顧客が受け取る。
【０００９】
そして、顧客は、空港３０に行き、図１０に示したように、搭乗時に図３の券情報読取装置２０の二次元バーコードリーダ２１に予約券５３の券表側５３ａをかざし（ステップＳ２１）、二次元バーコード５３ｃの予約券データを読み取らせる（ステップＳ２２）。
【００１０】
そして、券情報読取装置２０にて二次元バーコード５３ｃを読み取れなかった場合は（ステップＳ２３）、二次元バーコード５３ｃの位置を再度合わせてかざし直すようにガイドし（ステップＳ２４）、再びステップＳ２２に戻って二次元バーコード５３ｃを読み取る。一方、二次元バーコード５３ｃを読み取れたときは、読取れた情報に基づいて所定の処理を行い、本処理を終了する（例えば、特許文献１参照）。
【００１１】
しかしながら、上記従来の自動発券システムでは、券情報読取装置２０に二次元バーコード５３ｃが印字された予約券５３をかざすときに、図３のように予約券５３の券表面５３ａを下に向けてかざすため、二次元バーコードリーダ２１の読取範囲に予約券５３に印字されている二次元バーコード５３ｃが正しくかざされているかどうか、顧客にはわかりづらく、この問題を解決するために、予約券５３の券裏面５３ｂにあらかじめ二次元バーコード５３ｃの印字位置を示すマークを印刷しておくという方法が採られていた。
【先行技術文献】
【特許文献】
【００１２】
【特許文献１】特開２００８−１５２６５６号公報
【発明の概要】
【発明が解決しようとする課題】
【００１３】
しかしながら、上記のような予約券５３の券裏面５３ｂにあらかじめ二次元バーコード５３ｃの印字位置を示すマークを印刷しておくという方法では、印字する二次元バーコード５３ｃの位置を固定しなければならないという問題があった。
【課題を解決するための手段】
【００１４】
本発明は、前述の課題を解決するため次の構成を採用する。すなわち、媒体に所定の情報をコード化したコードを印字して券を発行する自動発券機であって、前記媒体の一方の面に前記コードを印字する第１の印字手段と、前記媒体の他方の面の任意の位置に所定のマーキングをするマーキング手段を設け、前記コードの位置の他方の面の位置近傍に所定のマーキングを行うようにした。
【発明の効果】
【００１５】
本発明の自動発券機によれば、媒体に所定の情報をコード化したコードを印字して券を発行する自動発券機であって、前記媒体の一方の面に前記コードを印字する第１の印字手段と、前記媒体の他方の面の任意の位置に所定のマーキングをするマーキング手段を設け、前記コードの位置の他方の面の位置近傍に所定のマーキングを行うようにしたので、前記コードを印字する場所を自由に設定することができる。
【図面の簡単な説明】
【００１６】
【図１】実施例１の自動発券機の構成図である。
【図２】自動発券システムの構成図である。
【図３】券情報読取装置の外観構成図である。
【図４】実施例１の予約券の表面の構成図である。
【図５】実施例１の予約券の裏面の構成図である。
【図６】実施例１の自動発券機の動作フローチャート図である。
【図７】実施例２の自動発券機の構成図である。
【図８】従来の自動発券機の構成図である。
【図９】従来の自動発券機の動作フローチャート図である。
【図１０】自動発券システムにおける予約券のバーコード読取り動作フローチャート図である。
【図１１】変形例の予約券の表面の構成図である。
【図１２】変形例の予約券の裏面の構成図である。
【発明を実施するための形態】
【００１７】
以下、本発明に係わる実施の形態例を、図面を用いて説明する。図面に共通する要素には同一の符号を付す。
【実施例１】
【００１８】
（構成）
実施例１の自動発券システムの構成は、前述の図２と同様であり、各地域の旅行代理店４０等に設置された自動発券機１０にて二次元バーコード５３ｃを含んだ予約券５３等の発券が行われ、空港３０に設置された券情報読取装置２０により、発券された予約券５３の二次元バーコード５３ｃを読み取り、その後の処理を行う。
【００１９】
実施例１の自動発券機１０の構成は、図１のようになっており、１１は媒体３を格納するホッパ部、１２はホッパ部１１に格納された媒体３を１枚ずつ分離する分離部、１３は分離された媒体３を搬送する搬送部、１４は、予約券の券表面５３ａに印字する第１の印字手段として、搬送された媒体３に二次元バーコード５３ｃのほか必要な情報を印字して予約券５３とする感熱サーマル印字部、１５は発行処理された予約券５３を集積する排出部である。
【００２０】
そして、中央に配置される２５は、スタンプヘッド２５ａを矢印Ａ方向に上下して予約券５３の券裏面５３ｂに所定のスタンプを押印してマーキングするマーキング手段としてのマーキングスタンプ部であり、これに対向してプラテン２５ｂが配置されている。
【００２１】
また、予約券５３に印字された二次元バーコード５３ｃを読み取る券情報読取装置２０の構成は、図３の外観構成図を用いて説明した従来の自動発券システムの券情報読取装置２０の構成と同様であり、装置前面に二次元バーコード５３ｃを読み取る二次元バーコードリーダ２１が設けられた構成となっている。
【００２２】
（動作）
以上の構成により、実施例１の自動発券システムは、以下のように動作する。この動作を前述の図１ないし図３の構成図、図４および図５の予約券の構成図、図６および図１０の動作フローチャートを用いて以下詳細に説明する。
【００２３】
まず、従来の自動発券システム全体の動作としては、図２のように、顧客は、旅行代理店４０等で自動発券機１０から発行された予約券５３を購入し、空港に行き、搭乗時に券情報読取装置２０の二次元バーコードリーダに予約券をかざし、二次元バーコードの予約券データを読み取らせ、所定の処理を行う。
【００２４】
そして、予約券５３を購入するときの動作としては、図６に示したように、発券機１０に内蔵されたホッパ部１１から分離部１２により媒体３を１枚ずつ繰出し（ステップＳ０１）、矢印Ｂのように搬送部１３に搬送し（ステップＳ０２）、搬送されてきた媒体３に感熱サーマル印字部１４で予約情報等をコード化した二次元バーコード５３ｃなどを印字する（ステップＳ０３）。
【００２５】
このように、予約券５３の券表面５３ａに二次元バーコード５３ｃが印字された例を図４に示す。同図に示したように、二次元バーコード５３ｃは、図示しない上位制御部から指示されるｎ行×ｍ列の位置に二次元バーコード５３ｃが印字される。
【００２６】
そして、まず、券表面５３ａの二次元バーコード５３ｃがマーキングスタンプ部２５に到来したときに搬送を一旦停止させ、二次元バーコード５３ｃが印字された位置の券裏面５３ｂの位置に、スタンプヘッド２５ａを矢印Ａ方向に駆動させることにより所定のマーキングを押印する（ステップＳ０４）。このように予約券５３の券裏面５３ｂにマーク５３ｄが押印された例を図５に示す。
【００２７】
なお、このときのマーク５３ｄの位置は、自動発券機１０が予約券５３を印字するときに、二次元バーコード５３ｃの印字位置情報として、二次元バーコード５３ｃの印字中心位置ｎ行×ｍ列を上位制御部から受信し、このｎ行×ｍ列の情報に基づいて、スタンプヘッド２５ａにより二次元バーコード５３ｃの印字中心位置の裏側５３ｂに押印すればよい。また、マーク５３ｄの形状は、図５のように円形状としてもよいし、四角や三角などの形状としても勿論よい。
【００２８】
そして、二次元バーコード５３ｃ等が券表面５３ａに印字され、券裏面５３ｂにマーク５３ｄが押印された予約券５３を、排出部１５に排出し、顧客がこれを受け取る（ステップＳ０５）。
【００２９】
その後、顧客は、空港３０に行き、搭乗時に、券裏側５３ｂのマーク５３ｄを見ながら券情報読取装置２０の二次元バーコードリーダ２１に合わせ、予約券５３をかざすことにより（ステップＳ２１）、二次元バーコード５３ｃの予約券データを読み取らせる。（ステップＳ２２）
【００３０】
そして、二次元バーコード５３ｃを読み取れなかった場合は（ステップＳ２３）、二次元バーコード５３ｃの位置を再度合わせてかざし直すようにガイドし（ステップＳ２４）、再びステップＳ２２に戻って二次元バーコード５３ｃを読み取る。一方、二次元バーコード５３ｃを読み取れたときは、読取った情報に基づいて所定の処理を行い、本処理を終了する。
【００３１】
（実施例１の効果）
以上のように実施例１の自動発券機によれば、予約券の券表面に前記２次元バーコードを印字する印字部と、前記予約券の券裏面の任意の位置に所定のマーキングをするマーキング手段を設け、前記２次元バーコードの位置の券裏面の位置近傍に所定のマーキングを行うようにしたので、前記二次元バーコードを印字する場所を自由に設定することができる。
【実施例２】
【００３２】
（構成）
実施例２の自動発券システムの構成は実施例１の構成と同様であり、自動発券機の構成において、図７に示したように、マーキングスタンプ部２５の代わりに第２の印字部として印字部３５を設けた構成となっている。そして、印字部３５は、印字ヘッド３５ａを備え、これに対向した位置にプラテン３５ｂが設けられた構成となっている。
【００３３】
（動作）
以上の構成により実施例２の自動発券機は以下のように動作する。この動作を前述の図７を用いて以下詳細に説明する。なお、自動発券機１０による裏面５３ｂへのマーキング動作以外の予約券５３の発券動作及び券情報読取装置２０による予約券５３の読取り動作は、実施例１と同様であるので、簡略化のためにその詳細な説明は省略する。
【００３４】
実施例１の動作と異なる券裏面５３ｂへのマーキング動作としては、まず、券表面５３ａの二次元バーコード５３ｃが印字部３５に到来したときに一旦搬送を停止し、二次元バーコード５３ｃが印字された位置の券裏面５３ｂの位置に、印字部３５の印字ヘッド３５ａにより所定のマーキングを印字する。予約券５３の券裏面５３ｂにマーク５３ｄが印字された例は実施例１と同様、図５のようになる。
【００３５】
なお、このときのマーク５３ｄは、自動発券機１０が予約券５３を印字するときに、二次元バーコード５３ｃの印字位置情報として、二次元バーコード５３ｃの印字中心位置ｎ行×ｍ列を上位制御部から受信し、このｎ行×ｍ列の情報に基づいて、印字ヘッド３５ａにより二次元バーコード５３ｃの印字中心位置の裏側５３ｂに押印すればよいことも実施例１と同様である。
【００３６】
そして、二次元バーコード５３ｃ等が券表面５３ａに印字され券裏面５３ｂにマーク５３ｄが印字された予約券５３を、排出部１５に排出し、顧客がこれを受け取り、その後、顧客は、空港３０に行き、搭乗時に、券裏側５３ｂのマーク５３ｄを見ながら券情報読取装置２０の二次元バーコードリーダ２１に合わせ、予約券５３をかざすことにより、二次元バーコード５３ｃの予約券データを読み取らせる。
【００３７】
（実施例２の効果）
以上のように実施例２の自動発券機によれば、予約券の券表面に印字する第１の印字手段と、予約券の券裏面の任意の位置に所定のマークを印字する第２の印字手段を設け、予約券の券表面に印字した二次元バーコードの位置の券裏面位置近傍に所定のマーキングを行うようにしたので、実施例１の効果と同様、前記二次元バーコードを印字する場所を自由に設定することができる。
【００３８】
《その他の変形例》
以上の実施例の説明では、マーク５３ｄの押印または印字位置を、自動発券機１０が予約券５３を印字する前に、二次元バーコード５３ｃの位置情報として、二次元バーコード５３ｃの印字中心位置ｎ行×ｍ列を上位制御部から受信し、このｎ行×ｍ列の情報に基づいて、スタンプヘッド２５ａまたは印字ヘッド３５ａにより二次元バーコード５３ｃの印字中心位置の裏側５３ｂに押印または印字するように説明したが、自動発券機１０に光学センサ等を設け、二次元バーコード５３ｃの印字位置を検出し、当該検出位置に基づいて、スタンプヘッド２５ａまたは印字ヘッド３５ａによりマーク５３ｄを押印または印字するようにしてもよい。
【００３９】
また、以上の実施例の説明では、マーク５３ｄをスタンプヘッド２５ａまたは印字ヘッド３５ａにより押印または印字するように説明したが、図１１および図１２に示したように、これとは別に第２のマーク５３ｅとして二次元バーコード５３ｃのコーナ近傍にパンチで孔を開けたり、エンボスによりマーキングするようにしてもよいし、マーク５３ｄとともに第２のマーク５３ｅを設けるようにしても勿論よい。
【００４０】
また、以上の実施例の説明では、空港チェックイン業務で使用される二次元バーコード印字の場合の例を説明したが、航空券以外の、例えば電車の自動発券システムであってもよいし、二次元バーコードではなく一次元バーコードを印字する場合であっても本発明を適用することができる。
【産業上の利用可能性】
【００４１】
以上述べたように、本発明は、乗車券や指定券、航空予約券等のチケットに二次元バーコードを印字して券を発行する自動発券機、およびそれを読み取る券情報読取装置からなる自動発券システムに広く利用することができる。
【符号の説明】
【００４２】
３    媒体
１０  自動発券機
１２  分離部
１４  感熱サーマル印字部
１５  排出部
２０  券情報読取装置
２１  二次元バーコードリーダ
２５  マーキングスタンプ部
２５ａ  スタンプヘッド
２５ｂ、３５ｂ  プラテン
３５    印字部
３５ａ  印字ヘッド
５３  予約券
５３ａ  券表面
５３ｂ  券裏面
５３ｃ  二次元バーコード
５３ｄ  マーク
５３ｅ  第２のマーク
【図１】
2011150643.tif 000003
【図２】
2011150643.tif 000004
【図３】
2011150643.tif 000005
【図４】
2011150643.tif 000006
【図５】
2011150643.tif 000007
【図６】
2011150643.tif 000008
【図７】
2011150643.tif 000009
【図８】
2011150643.tif 000010
【図９】
2011150643.tif 000011
【図１０】
2011150643.tif 000012
【図１１】
2011150643.tif 000013
【図１２】
2011150643.tif 000014